(57)【特許請求の範囲】
【請求項１】
電動機の回転軸に固定されたファンと、該ファンを被い、中央部に吸気口を有するファンカバーと、該ファンカバーに外部に向かって突出形成された環状部と、該環状部に設けられたシール材とを備え、前記シール材は、耐熱性及び短硬化時間性を有する紫外線硬化樹脂に、耐熱性、低摩擦性、柔軟性を有するシリコーンあるいはフッ素が添加された液状の原料から成り、前記シール材の原料を前記ファンカバーを水平面に載置して前記環状部に充填し、前記シール材が表面張力によって全面にわたって水平となった状態で紫外線を照射して硬化させた後、前記シール材を前記ファンの端部で削り取り、前記シール材と前記ファンの吸込口縁が略摺接状態になることを特徴とする電動送風機。
【発明の詳細な説明】
【０００１】
【発明の属する技術分野】
本発明は、電気掃除機に使用される電動送風機の改良に関する。
【０００２】
【従来の技術】
従来、電動送風機は、ファンとファンカバーとの間に隙間が形成されるため、ファンの吐出口から吐出された気流の一部がファンとファンカバーとの隙間を通って吸気口へと流れ、ファン内部と隙間とを流れる循環流が生じるため、送風効率が低下する欠点があった。
【０００３】
そこで、この循環流を防止するために、ファンカバーの吸込口の周囲に環状のシール材を配設し、シール材にファンを当接させる技術が特開平7-208390号公報(F04D 29/16)等にて提案された。この従来技術は、シール材をファンカバーに固定するために、環状の支持体をファンカバーに溶接固定し、支持体とファンカバーとの間でシール材を挟持固定する構成となっている。
【０００４】
しかしながら、この構成では、シール材を環状に材料取りするため、歩留まりが悪く、しかもシール材として高価なポリテトラフロロエチレンを採用しているため、シール材が高価になる欠点がある。また、支持体を溶接する作業が必要となり、組立作業性が悪いと共に、加工費が高価となるなどの欠点を有するものであった。
【０００５】
【発明が解決しようとする課題】
本発明は、上記欠点に鑑みなされたもので、ファンとファンカバーとの隙間を流れる循環流を安価に防止し得る電動送風機を提供することを課題とする。
【０００６】
【課題を解決するための手段】
本発明は、電動機の回転軸に固定されたファンと、該ファンを被い、中央部に吸気口を有するファンカバーと、該ファンカバーに外部に向かって突出形成された環状部と、該環状部に設けられたシール材とを備え、前記シール材は、耐熱性及び短硬化時間性を有する紫外線硬化樹脂に、耐熱性、低摩擦性、柔軟性を有するシリコーンあるいはフッ素が添加された液状の原料から成り、前記シール材の原料を前記ファンカバーを水平面に載置して前記環状部に充填し、前記シール材が表面張力によって全面にわたって水平となった状態で紫外線を照射して硬化させた後、前記シール材を前記ファンの端部で削り取り、前記シール材と前記ファンの吸込口縁が略摺接状態になることを特徴とする．
【００１３】
【発明の実施の形態】
本発明の一実施形態を図面に基づいて以下に詳述する。
【００１４】
１は電動送風機で、電動機２及び送風機３から構成されている。
【００１５】
まず、電動機２について説明すると、４は一端側を開口した有底筒状のブラケットで、固定子５及び回転子６が収納され、ブラケット４の一端側開口は端板７により閉塞されている。８は前記ブラケット４に固定されるブラシ保持具で、内部に保持したカーボンブラシ９を回転子６の整流子10外周面に弾接させている。
【００１６】
次に送風機３について説明すると、11は前記端板７に固定されるディフューザで、後述するファン13外周に対応する位置に固定案内翼12を有している。13は前記ディフューザ11を貫通して伸びる回転子６の回転軸14に固定されるファンで、中央部に吸気口15を有する前面シュラウド16、後面シュラウド17及び前面シュラウド16と後面シュラウド17との間に固定される複数のブレード18とから構成されている。19は前記ディフューザ11及びファン13を被うファンカバーで、前記端板７に圧入して固定されている。20は前記ファンカバー19の略中央部に形成された吸気口で、吸気口20周縁に外側に向かって環状部21を膨出形成しており、該環状部21内にファン13の吸込口15が位置するようになっている。
【００１７】
22は前記環状部21に充填されるシール材で、硬化状態において、耐熱性、低摩擦性及び柔軟性を有すると共に、けずれやすい合成樹脂にて形成されており、ファン13の吸込口15縁を当接させている。前記シール材22としては、弾性接着剤、充填剤、シーリング剤、コーティング剤等が用いられ、本実施形態では耐熱性及び短硬化時間性を有する紫外線硬化性樹脂に、低摩擦性、柔軟性及び耐熱性を有する添加材を添加した原料、例えばシリコーンあるいはフッ素を添加した原料を環状部21に所定量充填し、紫外線を照射して硬化させて形成している。
【００１８】
而して、ファンカバー19を吸気口20を下にして水平面に載置し、環状部21内面にシール材22の原料を所定量充填する。シール材22の原料は紫外線の照射前は液状となっており、表面張力により全面にわたって水平となる。この状態で紫外線を照射してシール材22を硬化させる。シール材22は紫外線硬化樹脂を使用しているため、極めて短時間に硬化し、作業性を向上させることができる。シール材22は低摩擦性及び柔軟性を有する添加材を添加することにより、硬化後も柔軟性及び低摩擦性を有している。
【００１９】
このファンカバー19を端板７に圧入固定し、ディフューザ11及びファン13を被って組み立てる。この組立状態においては、ファン13の吸込口15縁がシール材22に当接し、シール材22は柔軟性を有しているため、ファン13の吸込口15縁の当接部分が変形する。電動送風機１を運転すると、シール材22は低摩擦性を有するため、ファン13はシール材22に摺接しながら回転して、吸込口15縁の端部でシール材22を削り取り、シール材22とファン13の吸込口15縁が略摺接状態となる。このシール材22とファン13の吸込口15縁の略摺接状態により循環流の発生が防止される。
【００２０】
シール材22は柔軟性及び低摩擦性を有しているので、摩擦損失を低く抑えることができ、特性の低下を極力抑制することができる。また、摩擦損失が低いため摩擦による発熱量が少なく、且つシール材22は耐熱性を有しているため、シール材22が熱変形してファン13との接触抵抗が大きくなったり、循環流が発生することがない。
【００２１】
柔軟性及び低摩擦性を向上させるために添加材の量を増加させる場合には、シール材22のファンカバー19への密着性が低下する恐れがあるが、ファンカバー19の環状部21に凹凸を形成するなど、環状部21内面を粗面に形成することによりシール材22のファンカバー19との密着性を向上させることができる。
【００２２】
【発明の効果】
本発明の請求項１の構成によれば、ファンとファンカバーとの隙間を流れる循環流を安価に防止することができるとともに、組立作業性を向上することができる等の効果を奏する。
【図面の簡単な説明】
【図１】本発明の実施の形態を示す要部拡大断面図である。
【図２】同半断面図である。
【符号の説明】
１          電動送風機
13          ファン
19          ファンカバー
21          環状部
22          シール材
【図１】
0003762472.tif 000002
【図２】
0003762472.tif 000003